(57)【要約】【課題】  通信回線（インターネット）を介してセンターサーバから情報端末装置へダウンロードした運転コース（ネットコース）を洗濯乾燥装置に転送した場合、次回の運転から情報端末装置を介在させることなく洗濯乾燥装置単独で同じネットコースを繰り返し使用可能な洗濯乾燥システムを提供すること。【解決手段】  洗濯乾燥装置３５と、洗濯乾燥装置を遠隔操作する情報端末装置３６と、洗濯乾燥装置と情報端末装置は両者間でデータを送受信するデータ通信手段２７ａ、２７ｂを、情報端末装置は入力設定手段３０を、洗濯乾燥装置は情報端末装置から受信した運転コースを記憶する記憶手段３８と操作手段２６とを備え、洗濯乾燥装置は、記憶手段に記憶した運転コースを操作手段の操作により開始する場合、最後に記憶した運転コースのみを運転可能にすることにより、次回からは洗濯乾燥装置単独でこの運転コースの運転が可能となる。【選択図】  図２
2005046418.tif 000002
【特許請求の範囲】
【請求項１】
洗濯および乾燥の逐次制御を行う洗濯乾燥装置と前記洗濯乾燥装置を遠隔操作する情報端末装置とを備えた洗濯乾燥システムであり、前記洗濯乾燥装置と前記情報端末装置は運転コースの内容などのデータを送信または受信するデータ通信手段を、前記情報端末装置は運転コースの内容を設定する入力設定手段と、洗濯乾燥装置の運転状態などを表示する表示手段を、前記洗濯乾燥装置は前記データ通信手段より受信した運転コースの内容を記憶する記憶手段と、運転コース開始などの操作を行う操作手段とを備え、前記洗濯乾燥装置は、前記記憶手段に記憶した運転コースを前記操作手段の操作により開始する場合、前記記憶手段に最後に記憶した運転コースのみを運転可能にした洗濯乾燥システム。
【請求項２】
情報端末装置は、記憶手段に記憶した運転コースを入力設定手段の操作により開始する場合、前記記憶手段に最後に記憶した運転コースのみを運転可能にした請求項１記載の洗濯乾燥システム。
【請求項３】
情報端末装置は、入力設定手段の操作により記憶手段に最後に記憶した運転コースの内容を表示手段に表示する請求項１記載の洗濯乾燥システム。
【請求項４】
情報端末装置は、過去に前記記憶手段に記憶した運転コースを前記表示手段に一覧表示する場合、前記記憶手段に最後に記憶した運転コースを一覧表示の所定の位置や特定の表示で他と区別できるように表示する請求項１記載の洗濯乾燥システム。
【請求項５】
情報端末装置は、前記表示手段に一覧表示した過去に前記記憶手段に記憶した運転コースのうち、いずれかの運転コースを前記入力設定手段の操作により選択した場合、選択した運転コースを前記データ送信手段を介して前記記憶手段に記憶する請求項４記載の洗濯乾燥システム。
【請求項６】
情報端末装置は、前記入力設定手段の操作により前記記憶手段に記憶した運転コースの内容を消去する請求項１記載の洗濯乾燥システム。
【請求項７】
請求項１〜６のいずれか記載の洗濯乾燥システムの少なくとも一つの機能をコンピュータに実現させるためのプログラム。
【発明の詳細な説明】
【技術分野】
【０００１】
本発明は、情報端末装置にて使用者が選択した好みの運転コースを、情報端末装置にネットワーク接続された洗濯乾燥装置に対して転送し実行するシステムに関するものである。
【背景技術】
【０００２】
近年、通信回線を利用して（予めサービス契約をした企業の）センターサーバとの間で、宅内機器の状態データをセンターサーバに送信し、センターサーバから宅内機器の拡張機能用データをダウンロードし、一方、宅内機器との間で、宅内機器から機器状態データを受信して閲覧し、宅内機器へ運転コースなどの機器制御データを送信して機器の運転コース内容を自由に設定したり、機器の電源入り切りなど機器制御を行う情報端末装置が普及し始めている（例えば特許文献１参照）。
【０００３】
さらに、最近では、情報端末装置と（本発明の宅内機器である）洗濯乾燥装置からなる洗濯乾燥システムにおいて、使用者が通信回線（インターネット）を利用して（洗濯乾燥装置の製造元である）企業のセンターサーバから好みの運転コースを情報端末装置に「ダウンロード」し、ダウンロードした運転コースを洗濯乾燥装置に「転送」して実行する構成も提案されており、以下、その構成について説明する（例えば特許文献２参照）。
【０００４】
図９は従来この種の洗濯乾燥システムのシステムブロック図であり、１は洗濯乾燥装置、２は情報端末装置、である。これら洗濯乾燥装置１と情報端末装置２との間は、後述する無線による通信手段によって通信が行われる。
【０００５】
図１０は洗濯乾燥装置１の縦断面図である。図に示すように、筐体３は、内部に、複数のサスペンション４によって外槽５を弾性的に吊支し、運転時の振動をサスペンション４によって吸収する構成としている。外槽６の内部には、回転中心軸を鉛直方向に有し洗濯物および乾燥対象物（以下、衣類という）を収容する内槽６を回転自在に支持し、内槽６の内底部に衣類を攪拌する回転翼７を回転自在に設けている。回転翼７は、外周が傾斜面形状の鍋型に形成している。
【０００６】
内槽６の内部周壁には多数の小孔（図示せず）を設け、その上方には流体バランサ８を設けている。そして、外槽５および内槽６の底部中心付近には、中空で二軸構造をしている洗濯・脱水軸９と、洗濯または脱水時により回転力の伝達を洗濯・脱水軸９に切り換えるクラッチ１０を設けている。モータ（駆動手段）１１は、外槽５に設け、クラッチ１０を介して内槽６または回転翼７を駆動するようにしている。
【０００７】
外槽５の下部から、伸縮自在の下部蛇腹状ホース１２を介して循環ダクト１３へと通路を構成し、循環ダクト１３の出口は乾燥用送風機（送風手段）１４の入口に連結している。乾燥用送風機１４の出口は通路１３ａに連結し、この通路１３ａ内に加熱手段であるヒータ１５を設け、通路１３ａに伸縮自在の上部蛇腹状ホース１６を連結している。上部蛇腹ホース１６は、内槽６へ向けて開口しており、内槽６は、内部周壁の小孔を通して外槽５に通じているので、これら通路は循環する経路を構成している。
【０００８】
内槽６の上部には開閉自在の内蓋１７を設けており、開閉検知手段１８は内蓋１７の開閉状態を常に把握している。また、内蓋１７の近傍には、伸縮自在の上部蛇腹状ホース１６からつづく温風噴出孔１９を開けている。冷却用送風機（冷却送風手段）２０は、筐体３の側面に取り付け、筐体３の内部に外気を導入できるように構成している。排水弁２１は外槽５内の水を排水するものであり、切換弁２２は循環路を切り換えるものである。
【０００９】
給水弁２３は内槽６内に給水するものであり、水位検知手段２４は外槽５内の水位を検知するものである。
【００１０】
洗濯乾燥制御手段２５は、マイクロコンピュータなどで構成し、水位検知手段２４、開閉検知手段１８の出力を入力し、操作手段２６により設定された設定内容に基づき、クラッチ１０、モータ１１、乾燥用送風機１４、ヒータ１５、冷却用送風機２０、排水弁２１、切換弁２２、給水弁２３などの動作を制御して洗濯および乾燥行程を制御する。
【００１１】
図１１は洗濯乾燥装置１の内部ブロック図であり、２７ａはデータ通信手段で洗濯乾燥制御手段２５が把握している洗濯機乾燥装置１の運転状態および機器制御に関するデータを情報端末装置２との間で無線にて送受信するものである。なお、洗濯乾燥制御手段２５は、クラッチ１０、モータ１１、乾燥用送風機１４、ヒータ１５、冷却用送風機２０、排水弁２１、切換弁２２、給水弁２３などの外部負荷を制御するが図への表記を省略する。
【００１２】
図１２は操作手段２６の詳細図であり、操作手段２６は複数個のスイッチボタンと表示部（発光ＬＥＤ）からなり、使用者はコース選択ボタン２６ａを押下し運転コースをコース表示部２６ｂにて確認後、スタートボタン２６ｃを押下し運転コースを開始する。ここで、後述するインターネットからダウンロードした好みのコース（以下、ネットコースと呼ぶ）を洗濯乾燥装置１にて選択する場合も、コース表示部２６ｂにて「ネットコース」が点灯するようコース選択ボタン２６ａを押下して選択する。
【００１３】
なお、図にも示したように、操作手段２６の表示能力は、後述する情報端末装置２の表示手段のそれと比べて格段に低い。その理由は、情報端末装置２の表示手段がカラー液晶ディスプレイであるなど物理的に表示能力が高いことも事実だが、本質的な理由として、洗濯乾燥装置１と情報端末装置２からなる洗濯乾燥システムでは「きめ細やかな運転コースの設定は情報端末装置２にて行い、洗濯乾燥装置１では衣類を入れて運転開始するだけ」と言うように機器別に役割分担ができているからであり、このような操作手段２６の簡素化は今後とも進むと思われる。
【００１４】
図１３は情報端末装置２の内部ブロック図、図１４は情報端末装置２の正面図、図１５は後述する表示手段（液晶画面）に表示する画面内容の一例であり、図１３の２８は通信回線接続手段であり通信回線（インターネット）を介して（洗濯乾燥装置の製造元である）企業のセンターサーバなどに常時接続している。２９はカラー画像も表示可能な液晶画面（表示手段）、３０は表示手段２９の画面上に設けた透明フィルム状のタッチパネル（入力設定手段）であり、図１５に示すように、例えば表示手段２９にて表示した表示内容２９ａにて、使用者が「スタートボタン（画像）」２９ｂを押下した場合、画面上に設けられたタッチパネル（入力設定手段）３０は（あたかも）ボタンを押下したかように出力を行う。
【００１５】
３１はスピーカ（音声出力手段）であり確認音や警告音などのブザー音を吹鳴するものである。３２は情報端末装置２の制御手段であり入力設定手段３０からの出力を入力し、通信回路接続手段２８からの運転コースデータなどを入力して洗濯乾燥装置１の制御データをデータ通信手段２７ｂへ出力することにより洗濯乾燥装置１へ運転コースデータを転送する。また、データ通信手段２７ｂにて洗濯乾燥装置１から（アンテナ部２７ｃを経由して）受け取った洗濯乾燥装置１の運転状態を表示手段２９にて表示し、音声出力手段３１にてブザー音を吹鳴させる。
【００１６】
上記構成において動作を説明する。
【００１７】
まず、洗い行程、すすぎ行程、脱水行程の３つの行程からなる洗濯行程と乾燥行程について、図１０を参照しながら説明する。内槽６に衣類３３、洗剤などを投入して操作部２６にて運転を開始すると、洗い行程では、制御装置２５により給水弁２３を駆動し、水位検知手段２４により検知した水位が所定の水位になるまで給水し、モータ１１を駆動して回転翼７を動作させ衣類３３を洗浄する。このとき、排水弁２１と切換弁２２は閉じている。
【００１８】
その後、排水弁２１を開いて排水し、再度給水し洗い行程と同様にして衣類を濯ぐすすぎ行程を経て、脱水行程では、衣類３３が入った内槽６を高速で回転させることによって生じる遠心力により、衣類３３が内槽６の内壁に押しつけられることになり、この遠心力で水分が衣類３３から分離されて脱水される。
【００１９】
洗濯行程を終え衣類３３を乾燥する乾燥行程では、切換弁２２を開いた状態で、乾燥用送風機１４の送風とヒータ１５の発熱により、上部蛇腹状ホース１６、温風噴出孔１９を通して内槽６へ乾いた温風が送り込まれる。
【００２０】
このとき、衣類３３は、回転翼７の左右回転により跳ね上げられたり、その後落下したりしている状態であり、内槽６へ送り込まれた温風は、これら衣類の動きの隙間を通るときに衣類から水分を奪い、湿った状態で、内槽６から外槽５の内側へと出た後、下部蛇腹状ホース１２を通過し、切換弁２２を通過して循環ダクト１３へ至る。この流れを、図では矢線で示している。
【００２１】
湿気を含んだ温風が、外槽５の内壁や循環ダクト１３内を通過しているとき、冷却用送風機２０による外部空気の流入で、外槽５や循環ダクト１３の外壁は冷却されることになり、湿った空気の水分はその内壁に結露し、湿った温風は除湿されて、乾燥用送風機１４へと戻る。外槽５の内壁に結露した水分は、切換弁２２を通過して、循環ダクト１３の内壁に結露した水分とともに排水口３４より適宜排出される。
【００２２】
次に、使用者が通信回線（インターネット）を介して（洗濯乾燥装置の製造元である）企業のセンターサーバから好みの運転コースを情報端末装置２にダウンロードし、ダウンロードした運転コースを洗濯乾燥装置１に転送する一連の流れを図１１から図１９を参照しながら説明する（なお、図１６は制御手段３２の要部動作を示すフロ−チャ−トである）。
【００２３】
図１３の通信回線接続手段２８は通信回線（インターネット）を介してセンターサーバに常時接続しており（図示はしないが）使用者は（洗濯機の製造元である）企業のセンターサーバから好みの運転コースを探す操作を行うと、図１６のフローチャートに示すように、Ｓ１にて情報端末装置２の制御手段３２はセンターサーバに企業があらかじめ登録されている運転コース（ネットコース）を表示手段２９に（図１７の）ネットコース一覧画面２９ｄとして表示し、Ｓ２にて使用者が同画面２９ｄに設けた「転送ボタン（画像）」２９ｅを押下した場合、つまり、入力設定手段３０により好みの運転コース（この場合であれば、念入りすすぎコース）を決定した場合、Ｓ３にて該当のネットコースの洗い時間、すすぎ回数、脱水時間などのシーケンス制御データをセンターサーバからダウンロードし、Ｓ４にてデータ通信手段手段２７ｂ、２７ａを介して洗濯乾燥装置１にシーケンス制御データを送信し、Ｓ５にて（表示手段２９に図１８の）転送完了画面２９ｆを表示する。
【００２４】
この段階で（図１２に示すように）洗濯乾燥装置１のコース表示部２６ｂは「ネットコース」が点灯しており、使用者は（内槽６に洗濯乾燥する衣類３３を入れた後）スタートボタン２６ｃを押してネットコース（この場合のネットコースは、念入りすすぎコース）の運転を開始する。洗濯乾燥制御手段２５は洗濯乾燥装置１の洗い行程、すすぎ行程、脱水行程、乾燥行程の設定内容（例えば、洗い行程であれば洗い時間などシーケンス制御データの内容）に応じてモータ１１、ヒータ１５、給水弁２３を逐次制御する一方で、洗濯乾燥制御手段２５は、現在進行中の行程、電源入り切りの状態など洗濯機乾燥装置１の運転状態に関するデータをデータ送信手段２７ａ、２７ｂを介して情報端末装置２へ送信するため、つまり、情報端末装置２の制御手段３２は常に洗濯乾燥装置１の運転状態を把握することが可能であり、表示手段２９に洗濯乾燥装置１の運転状態（例えば、機器状態表示画面２９ａ）を表示するわけである。
【００２５】
再び、図１６のフローチャートに戻るが、Ｓ６にて制御手段３２はネットコースの運転開始を知ると（フローチャートには記さないが）進行中の運転状態を表示手段２９に表示し、Ｓ７にて全ての運転コース内容を終了した事を知ると、Ｓ８にて（表示手段２９に図１９の）運転終了画面２９ｇを表示する。
【特許文献１】特開２００２−１８６０５７号公報
【特許文献２】特開２００３−４７０７４号公報
【発明の開示】
【発明が解決しようとする課題】
【００２６】
しかしながら、前記従来の構成では、通信回線（インターネット）を介してセンターサーバから情報端末装置２へダウンロードした運転コース（ネットコース）を洗濯乾燥装置１に転送して運転した場合、運転コースを終了した時点で洗濯乾燥装置１は電源を切るため、洗濯乾燥装置１内部にネットコースの内容を保持し続けることができない。つまり、使用者はネットコースを使用する場合、その都度、前準備として手間をかけ、情報端末装置２からネットコースを洗濯乾燥装置１へ転送しなければならないと言う課題を有していた。
【００２７】
本発明は、前記従来の課題を解決するもので、通信回線（インターネット）を介してセンターサーバから情報端末装置２へダウンロードした運転コース（ネットコース）を洗濯乾燥装置１に転送した場合、その後は、情報端末装置２を介在させることなく洗濯乾燥装置１にて同じネットコースを繰り返し使用可能な洗濯乾燥システムを提供することを目的とする。
【課題を解決するための手段】
【００２８】
前記従来の課題を解決するために、本発明の洗濯乾燥システムは、記憶手段に記憶した運転コースを操作手段の操作により開始する場合、記憶手段に最後に記憶した運転コースのみを運転可能にしたものである。
【００２９】
これによって、通信回線（インターネット）を介してセンターサーバから情報端末装置へダウンロードした運転コース（ネットコース）を洗濯乾燥装置に転送した場合、ネットコースの内容を洗濯乾燥装置の記憶手段（電源を切っても記憶内容を保持し続ける不揮発性メモリなど）に記憶し、かつ、洗濯乾燥装置は記憶手段に最後に記憶したネットコースの内容のみを唯一のネットコース内容として呼び出すため、次回以降にネットコースを使用する場合、情報端末装置を用いることなく洗濯乾燥装置単独の操作で同じネットコースを繰り返し使用可能としたものである。
【００３０】
また、洗濯乾燥装置の表示機能が低いため（たとえば図１２）、複数のネットコースを記憶する仕様とすると、使用者の立場からして、どのようなネットコースを記憶手段に記憶しているのか、その中からどのように操作して希望のネットコースを選択するのか等のユーザーインターフェースを複雑としてしまう課題がある。そこで本発明は、このような複雑な操作・ユーザインタフェースは情報端末装置で行うこととし、洗濯乾燥装置では記憶手段に最後に記憶したネットコースの内容のみを唯一のネットコース内容として呼び出すので、ユーザインタフェースをわかりやすくしてこの課題についてを解決することができる。
【発明の効果】
【００３１】
本発明の洗濯乾燥システムは、通信回線（インターネット）を介してセンターサーバから情報端末装置へダウンロードした運転コース（ネットコース）を洗濯乾燥装置に転送した場合、ネットコースの内容を洗濯乾燥装置の記憶手段（電源を切っても記憶内容を保持し続ける不揮発性メモリなど）に記憶し、かつ、洗濯乾燥装置は記憶手段に最後に記憶したネットコースの内容のみを唯一のネットコース内容として呼び出すため、次回以降にネットコースを使用する場合、情報端末装置を用いることなく洗濯乾燥装置単独の操作でお気に入りの同じネットコースを繰り返し使用でき、ひいては、使用者の操作勝手を向上させることができる。
【発明を実施するための最良の形態】
【００３２】
第１の発明は、洗濯および乾燥の逐次制御を行う洗濯乾燥装置と前記洗濯乾燥装置を遠隔操作する情報端末装置とを備えた洗濯乾燥システムであり、前記洗濯乾燥装置と前記情報端末装置は運転コースの内容などのデータを送信または受信するデータ通信手段を、前記情報端末装置は運転コースの内容を設定する入力設定手段と、洗濯乾燥装置の運転状態などを表示する表示手段を、前記洗濯乾燥装置は前記データ通信手段より受信した運転コースの内容を記憶する記憶手段と、運転コース開始などの操作を行う操作手段とを備え、前記洗濯乾燥装置は、前記記憶手段に記憶した運転コースを前記操作手段の操作により開始する場合、前記記憶手段に最後に記憶した運転コースのみを運転可能とすることにより、使用者が通信回線（インターネットなど）を介してセンターサーバから情報端末装置へダウンロードした運転コース（ネットコース）を洗濯乾燥装置に転送した場合、ネットコースの内容を洗濯乾燥装置の記憶手段（電源を切っても記憶内容を保持し続ける不揮発性メモリなど）に記憶し、かつ、洗濯乾燥装置は記憶手段に最後に記憶したネットコースの内容のみを唯一のネットコース内容として呼び出すため、次回以降にネットコースを使用する場合、情報端末装置を用いることなく（つまり前準備の手間をかけずに）洗濯乾燥装置単独の操作でお気に入りの同じネットコースを繰り返し使用でき、使用者の利便性を高めることができる。
【００３３】
第２の発明は、特に、第１の発明の洗濯乾燥システムにて、情報端末装置は、前記記憶手段に記憶した運転コースを前記入力設定手段の操作により開始する場合、前記記憶手段に最後に記憶した運転コースのみを運転可能にすることにより、洗濯乾燥装置と情報端末装置の設置場所が（例えば、各々の設置場所が洗面所と台所であるなど）離れている場合においても、情報端末装置の入力設定手段の操作によりネットコースの運転を開始することが可能になるため、（再び同じネットコースの運転内容を洗濯乾燥装置に転送することなく）洗濯乾燥装置に対して遠隔にてお気に入りの同じネットコースを繰り返し使用することができる。
【００３４】
第３の発明は、特に、第１の発明の洗濯乾燥システムにて、情報端末装置は、前記入力設定手段の操作により前記記憶手段に最後に記憶した運転コースの内容を前記表示手段に表示することにより、使用者が洗濯乾燥装置に転送したネットコースの運転内容を忘れた場合においても情報端末装置の操作により速やかにかつ確実に運転内容を確認することができる。
【００３５】
第４の発明は、特に、第１の発明の洗濯乾燥システムにて、情報端末装置は、過去に前記記憶手段に記憶した運転コースを前記表示手段にたとえば縦並びに一覧表示する場合、前記記憶手段に最後に記憶した運転コースを一覧表示の最上位に表示することにより、洗濯乾燥装置にて唯一実行可能なネットコースの運転内容を容易に確認でき、使用者の視認性を高めることができる。また最後に記憶した運転コースの色を変えたり文字の大きさ、フォントを変えるなど他と異ならせて表示してもよい。情報端末装置は、過去に前記記憶手段に記憶した運転コースを前記表示手段に一覧表示する場合、前記記憶手段に最後に記憶した運転コースを一覧表示の所定の位置や特定の表示で他と区別できるように表示する。
【００３６】
第５の発明は、特に、第４の発明の洗濯乾燥システムにて、情報端末装置は、前記表示手段に一覧表示した過去に前記記憶手段に記憶した運転コースのうち、いずれかの運転コースを前記入力設定手段の操作により選択した場合、選択した運転コースを前記データ送信手段を介して前記記憶手段に記憶することにより、毎回は使用しないが、例えばセータを洗う専用のネットコース（セータコース）に代表される季節の変わり目などに周期的に使用するネットコースに対しても、これらのネットコースを情報端末装置の過去履歴として保存しておき必要に応じて洗濯乾燥装置へ転送し運転することができる。
【００３７】
第６の発明は、特に、第１の発明の洗濯乾燥システムにて、情報端末装置は、前記入力設定手段の操作により前記記憶手段に記憶した運転コースの内容を消去することにより、使用頻度が極めて低く特定の衣類に特化したネットコース、例えば毛布を洗う専用のネットコース（毛布コース）を使用した場合、運転終了後に記憶手段のネットコース内容を消去することにより、このネットコースを次回の運転にて誤使用を防ぐことができる。
【００３８】
第７の発明は、特に、第１〜６のいずれか１つの発明の洗濯乾燥システムの機能の少なくとも一つをコンピュータに実現させるためのプログラムである。この構成によれば、洗濯乾燥システムは、一度洗濯乾燥装置へ転送したネットコースの内容を記憶手段（不揮発性メモリ）に記憶し、かつ、洗濯乾燥装置は記憶手段に最後に記憶したネットコースの内容のみを唯一のネットコース内容として呼び出すため、次回以降にネットコースを使用する場合、洗濯乾燥装置単独の操作で同じネットコースを繰り返し使用することが可能になるものである。また、プログラムであるのでマイコンなどを用いて本発明の洗濯乾燥システムの一部あるいは全てを容易に実現することができる。また記録媒体に記録したり通信回線を用いてプログラムを配信したりすることでプログラムの配布が簡単にできる。
【００３９】
以下、本発明の実施の形態について、図面を参照しながら説明する。なお、この実施の形態によって本発明が限定されるものではない。なお、前記背景技術と同じ構成のものは同一符号を付して説明を省略する。
【００４０】
（実施の形態１）
図１は本発明の第１の実施の形態における洗濯乾燥システムのシステムブロック図、図２は洗濯乾燥装置の内部ブロック図、図３は情報端末装置の内部ブロック図、図４は情報端末装置における制御手段の要部動作を示すフロ−チャ−トである。
【００４１】
図２の３８は通信回線（インターネット）を介してセンターサーバから情報端末装置３６へダウンロードし、情報端末装置３６よりデータ通信手段２７ｂ、２８ａを介して洗濯乾燥装置３５に転送した運転コース（ネットコース）の内容（シーケンス制御データ）を記憶する記憶手段（たとえば不揮発性メモリやハードディスク）であり、その他は、洗濯乾燥装置３５、洗濯乾燥制御手段３７、情報端末装置３６、制御手段３９と表記している以外は従来の構成と同じ構成である。
【００４２】
以上のように構成された洗濯乾燥システムについて、以下その動作、作用を説明する。
【００４３】
使用者が（従来の構成と同様に）通信回線（インターネット）を介して（洗濯乾燥装置の製造元である）企業のセンターサーバから好みの運転コース（ネットコース）を情報端末装置３６にダウンロードし、ダウンロードした運転コース（ネットコース）を洗濯乾燥装置３５に転送する場合、図４のフローチャートに示すように、Ｓ１〜Ｓ４にて情報端末装置３６の制御手段３９は（データ通信手段２７ｂ、２７ａを介して）洗濯乾燥装置３５にネットコースの運転内容であるシーケンス制御データを転送し、Ｓ９にてシーケンス制御データを記憶手段（不揮発性メモリ）に唯一のネットコース運転内容として保存する。なお、記憶手段（不揮発性メモリ）は洗濯乾燥装置３５の電源を切っても記憶内容を保持し続けること可能である。
【００４４】
以上のように、本実施例では、使用者が通信回線（インターネット）を介してセンターサーバから情報端末装置３６へダウンロードした運転コース（ネットコース）を洗濯乾燥装置３５に転送した場合、ネットコースの内容を洗濯乾燥装置の記憶手段（不揮発性メモリ）に記憶し、かつ、洗濯乾燥装置は記憶手段に最後に記憶したネットコースの内容のみを唯一のネットコース内容として呼び出すことにより、次回以降にネットコースを使用する場合、情報端末装置を用いることなく（つまり前準備の手間をかけずに）洗濯乾燥装置単独の操作でお気に入りの同じネットコースを繰り返し使用でき、使用者の利便性を高めることができる。
【００４５】
なお、本実施の形態では、データ送信手段２７ａおよび２７ｂは、洗濯乾燥装置３５と情報端末装置３６との間でシーケンス制御データを双方向にて送受信するように示したが、情報端末装置３６からのシーケンス制御データを洗濯乾燥装置３５に対して送信する片方向の通信形態をとっても構わない。
【００４６】
また、本実施の形態では、通信媒体として無線を用いているが、専用線による有線通信、電灯線搬送通信、赤外線通信、光ファイバ通信など、いずれの通信媒体を用いても同様の効果を有するものである。
【００４７】
（実施の形態２）
図５は本発明の第２の実施の形態における制御手段３９の要部動作を示すフロ−チャ−トである。なお、情報端末装置の内部ブロック図は実施の形態１と同じ構成である。
【００４８】
以上のように構成された洗濯乾燥システムについて、以下その動作、作用を説明する。
【００４９】
図５のフローチャートに示すように、（Ｓ１〜Ｓ５およびＳ９の説明は図４と同じなので省略するが）使用者が（従来の構成と同様に）通信回線（インターネット）を介して（洗濯乾燥装置の製造元である）企業のセンターサーバから好みの運転コース（ネットコース）を情報端末装置３６にダウンロードし、ダウンロードした運転コース（ネットコース）を洗濯乾燥装置３５に転送した時点で、実施の形態１では洗濯乾燥装置３５における操作手段２６の操作（具体的には、図１２のスタートボタン２６ｃ押下）によりネットコースの運転を開始するが、本実施の形態では、情報端末装置３６の入力設定手段３０の操作（具体的には、図１５のスタートボタン２９ｂ押下）をした場合、図５のフローチャートのＳ１０にて情報端末装置３６の制御手段３９は入力設定手段３０の操作を検知し、Ｓ１１にて洗濯乾燥装置３５に対してネットコースの運転開始をシーケンス制御データとして送信する。それを受けて洗濯乾燥装置３５は運転を開始する。
【００５０】
以上のように、本実施の形態では、洗濯乾燥装置と情報端末装置の設置場所が（例えば、各々の設置場所が洗面所と台所であるなど）離れている場合においても、情報端末装置の入力設定手段の操作によりネットコースの運転を開始することが可能になるため、（再び同じネットコースの運転内容を洗濯乾燥装置に転送することなく）洗濯乾燥装置に対して遠隔にてお気に入りの同じネットコースを繰り返し使用することができる。
【００５１】
（実施の形態３）
図６は、本発明の第３の実施の形態における情報端末装置３６の表示手段２９に表示する画面の一例である。なお、洗濯乾燥装置３５の内部ブロック図、および、情報端末装置３６の内部ブロック図は実施の形態１と同じ構成である。
【００５２】
以上のように構成された洗濯乾燥システムについて、以下その動作、作用を説明する。
【００５３】
使用者が（過去に洗濯乾燥装置３５に転送した）ネットコースを設定実行する場合、まず、洗濯乾燥装置に置いて図１２のコースボタン２６ａを幾度か押下し、洗濯乾燥装置のコース表示部２６ｂに「ネットコース」ランプが点灯させることによりネットコースを設定するが、ネットコースの運転内容（例えば、ネットコースに「念入りすすぎコース」が設定されているのか、あるいは「つけおきコース」が設定されているのか）を確認する方法がない。この場合、図１５の表示手段２９における所定操作、具体的には、お知らせボタン２９ｃを押下することにより情報端末装置３６の表示手段２９に図６のようなネットコース内容表示画面２９ｋを表示する。この例であれば、ネットコース内容表示画面２９ｋにて、ネットコースの内容が「念入りすすぎコース」であることがわかる。
【００５４】
以上のように、本実施の形態では、情報端末装置にて入力設定手段の所定の操作により記憶手段に最後に記憶した運転コースの内容を表示手段に表示するようにしたものであり、使用者が洗濯乾燥装置に転送したネットコースの運転内容を忘れた場合においても情報端末装置の操作により速やかにかつ確実に運転内容を確認することできる。
【００５５】
なお、本実施の形態では、表示手段２９における所定の操作を、お知らせボタン２９ｃを押下するなど具体的な手順をあげて説明したが、この手順は本発明を限定するものではない。
【００５６】
（実施の形態４）
図７は、本発明の第４の実施の形態における情報端末装置３６の表示手段２９に表示する画面の一例であり、２９ｈは過去に情報端末装置３６から洗濯乾燥装置３５へ転送したネットコースの名称を一覧表示したネットコース転送履歴画面である。なお、洗濯乾燥装置３５の内部ブロック図、および、情報端末装置３６の内部ブロック図は実施の形態１と同じ構成である。
【００５７】
以上のように構成された洗濯乾燥システムについて、以下その動作、作用を説明する。
【００５８】
使用者は（図示はしないが）情報端末装置３６の入力設定手段３０の操作により、図７に示すように、表示手段２９に過去に情報端末装置３６から洗濯乾燥装置３５へ転送したネットコースの名称を一覧表示したネットコース転送履歴画面２９ｈを表示する。ネットコース転送履歴画面２９ｈには、この場合、過去３回に転送した「念入りすすぎコース」「毛布コース」「セーターコース」が表示されており、その並び順に関しては特に意味を持たない。なぜならば、洗濯乾燥装置３５の記憶手段３８には唯一実行可能な１つのネットコースの運転内容（シーケンス制御データ）のみ記憶可能であるため、過去に転送した幾つかの運転コースの名称を一覧表示する場合、現在、洗濯乾燥装置３５の記憶手段３８に保存している運転コースが何であるかは重要な要素であるが、その他の運転コースの並びに関しては特にこだわる意味はない。
【００５９】
話を戻して、このようにネットコース転送履歴画面２９ｈの一覧表示を行う場合、現在、洗濯乾燥装置３５の記憶手段３８に保存している運転コース（ネットコース）の名称は、名称一覧を縦に表示する場合、一番上に表示する。つまり、この場合は記憶手段３８に唯一保存しているネットコースは「念入りすすぎコース」なので、一番上に表示する。
【００６０】
以上のように、本実施の形態では、過去に前記記憶手段に記憶した運転コースを前記表示手段に縦並びに一覧表示する場合、前記記憶手段に最後に記憶した運転コースを一覧表示の最上位に表示するようにしたものであり、洗濯乾燥装置にて唯一実行可能なネットコースの運転内容を容易に確認でき、使用者の視認性を高めることができる。
【００６１】
なお縦並びでなく横並びでもよいし、その場合は一番右側（または左側など所定の位置）に最後に記憶した運転コースを表示するようにしてもよい。あるいはまた、表示の位置のほかに表示の色や文字の大きさなどを他と異ならせて目立つようにしてもよい。
【００６２】
（実施の形態５）
図８は、本発明の第５の実施の形態における情報端末装置３６の表示手段２９に表示する画面の一例であり、２９ｊは（実施の形態４と同様に）過去に情報端末装置３６から洗濯乾燥装置３５へ転送したネットコースの名称を一覧表示したネットコース転送履歴画面である。なお、洗濯乾燥装置３５の内部ブロック図、および、情報端末装置３６の内部ブロック図は実施の形態１と同じ構成である。
【００６３】
以上のように構成された洗濯乾燥システムについて、以下その動作、作用を説明する。
【００６４】
使用者は（図示はしないが）情報端末装置３６の入力設定手段３０の操作により、図７に示すように、表示手段２９に過去に情報端末装置３６から洗濯乾燥装置３５へ転送したネットコースの名称を一覧表示したネットコース転送履歴画面２９ｈを表示する（図示しないが情報端末装置３６は過去にダウンロードしたネットコースを記憶する記憶手段を備え、その記憶内容であるネットコースの名称を一覧表示する）。ネットコース転送履歴画面２９ｈには、この場合、過去３回に転送した「念入りすすぎコース」「毛布コース」「セーターコース」が表示される（ここまでは、実施の形態４と同じである。）。ここで、一番上に表示していないコース、つまり、現時点で洗濯乾燥装置３５の記憶手段３８に記憶していないネットコースである例えば「セーターコース」を洗濯乾燥装置３５にて転送する場合、コース別に設けられた転送ボタン２９ｉを押下することにより、制御手段３９は「セーターコース」の運転内容（シーケンス制御データ）をセンターサーバよりダウンロードし、これを洗濯乾燥装置３５へ転送して記憶手段３８に記憶する。転送ボタン２９ｉを押下した後の処理は、実施の形態１にて述べた図４のフローチャートの処理Ｓ２〜Ｓ４およびＳ９と同様である。
【００６５】
一方、洗濯乾燥装置３５へ「セーターコース」を終えた時点で、制御手段３９は表示手段２９にそれまで表示していた転送履歴画面の表示内容を図８の転送履歴画面２９ｊに変更する。つまり、この時点では記憶手段３８に記憶されているネットコースの運転内容は「セーターコース」であるため、一覧表示にて最上位に表示する運転コースを「セーターコース」に変更したのである。
【００６６】
以上のように、本実施の形態では、表示手段に一覧表示した過去に記憶手段に記憶した運転コースのうち、いずれかの運転コースを入力設定手段の操作により選択した場合、選択した運転コースを記憶手段に記憶するようにしたものであり、毎回は使用しないが、例えばセータを洗う専用のネットコース（セータコース）に代表される季節の変わり目などに周期的に使用するネットコースに対しても、これらのネットコースを情報端末装置の過去履歴として保存しておき必要に応じて洗濯乾燥装置へ転送し運転することができる。
【００６７】
（実施の形態６）
本発明の第６の実施の形態に用いる洗濯乾燥装置３５の内部ブロック図、および、情報端末装置３６の内部ブロック図は実施の形態１と同じ構成である。
【００６８】
以上のように構成された洗濯乾燥システムについて、以下その動作、作用を説明する。
【００６９】
使用者が（過去に情報端末装置３６より洗濯乾燥装置３５に転送した）ネットコースを何らかの事情で消去する場合、図１２の操作手段２６にて所定の操作、具体的にはコースボタン２６ａを２秒間以上押し続けることにより洗濯乾燥制御手段３７は記憶手段３８に記憶している運転内容（ネットコースのシーケンス制御データ）を消去する。なお、記憶手段３８に記憶したネットコースの運転内容（シーケンス制御データ）を消去した場合、（ネットコースを運転できないため）使用者がコースボタン２６ａを押下しても「ネットコース」ランプは点灯できない、つまり、ネットコースを設定することはできない。
【００７０】
以上のように、本実施の形態では、情報端末装置の入力設定手段の所定の操作により記憶手段に記憶した運転コースの内容を消去するようにしたものであり、使用頻度が極めて低く特定の衣類に特化したネットコース、例えば毛布を洗う専用のネットコース（毛布コース）を使用した場合、運転終了後に記憶手段のネットコース内容を消去することで、このネットコースを次回の運転にて誤使用を防ぐことができる。
【００７１】
なお、本実施の形態では、操作手段２６における所定の操作を、コースボタンを２秒以上押し続けるなど具体的な手順をあげて説明したが、この手順は本発明を限定するものではない。たとえば記憶しているネットコースの消去操作を情報処理端末にて行うようにしてもよい。
【産業上の利用可能性】
【００７２】
以上のように、本発明にかかる洗濯乾燥システムは、通信回線（インターネットなど）を介してセンターサーバから情報端末装置へダウンロードした運転コース（ネットコース）を洗濯乾燥装置に転送した場合、ネットコースの内容を洗濯乾燥装置の記憶手段（電源を切っても記憶内容を保持し続ける不揮発性メモリなど）に記憶し、かつ、洗濯乾燥装置は記憶手段に最後に記憶したネットコースの内容のみを唯一のネットコース内容として呼び出すため、次回以降にネットコースを使用する場合、情報端末装置を用いることなく洗濯乾燥装置単独の操作でお気に入りの同じネットコースを繰り返し使用でき、ひいては、使用者の操作勝手を向上させることが可能となるので、情報端末装置にネットワーク接続されたエアコン、電子レンジ、冷蔵庫、給湯器、炊飯器など家電製品に対して運転内容を好みに応じて設定する場合などの用途にも適用できる。
【図面の簡単な説明】
【００７３】
【図１】本発明の実施の形態１の洗濯乾燥システムのシステムブロック図
【図２】本発明の実施の形態１の洗濯乾燥装置３５の内部ブロック図
【図３】本発明の実施の形態１の情報端末装置３６の内部ブロック図
【図４】本発明の実施の形態１の制御手段３９の動作フロ−チャ−ト
【図５】本発明の実施の形態２の制御手段３９の動作フロ−チャ−ト
【図６】本発明の実施の形態３の表示手段２９に表示するネットコース内容画面を示す図
【図７】本発明の実施の形態４の表示手段２９に表示するネットコース転送履歴画面を示す図
【図８】本発明の実施の形態５の表示手段２９に表示するネットコース転送履歴画面を示す図
【図９】従来の洗濯乾燥システムのシステムブロック図
【図１０】従来の洗濯乾燥装置１の縦断面図
【図１１】従来の洗濯乾燥装置１の内部ブロック図
【図１２】従来の洗濯乾燥装置１の操作手段２６の詳細図
【図１３】従来の情報端末装置２の内部ブロック図
【図１４】従来の情報端末装置２の正面図
【図１５】従来の表示手段２９に表示する機器状態表示画面を示す図
【図１６】従来の洗濯乾燥システムの制御手段３２の動作フロ−チャ−ト
【図１７】従来の表示手段２９に表示するネットコース一覧画面を示す図
【図１８】従来の表示手段２９に表示するネットコース転送完了画面を示す図
【図１９】従来の表示手段２９に表示する運転終了画面を示す図
【符号の説明】
【００７４】
２６  操作手段
２７ａ  洗濯乾燥装置のデータ通信手段
２７ｂ  情報端末装置のデータ通信手段
２８  通信回線接続手段
２９  表示手段
３０  入力設定手段
３１  音声出力手段
３５  洗濯乾燥装置
３６  情報端末装置
３７  洗濯乾燥制御手段
３８  記憶手段
３９  制御手段
【図１】
2005046418.tif 000003
【図２】
2005046418.tif 000004
【図３】
2005046418.tif 000005
【図４】
2005046418.tif 000006
【図５】
2005046418.tif 000007
【図６】
2005046418.tif 000008
【図７】
2005046418.tif 000009
【図８】
2005046418.tif 000010
【図９】
2005046418.tif 000011
【図１０】
2005046418.tif 000012
【図１１】
2005046418.tif 000013
【図１２】
2005046418.tif 000014
【図１３】
2005046418.tif 000015
【図１４】
2005046418.tif 000016
【図１５】
2005046418.tif 000017
【図１６】
2005046418.tif 000018
【図１７】
2005046418.tif 000019
【図１８】
2005046418.tif 000020
【図１９】
2005046418.tif 000021